(57)【要約】【課題】制御部等の構成部を器具内の温度上昇から効果的に保護する。【解決手段】本体２の内部に、バーナヘッド１２側への出口となる隙間２６を除いてバーナヘッド１２と制御基板等の構成部との間を仕切る遮熱板２３を設ける一方、底板５の中央部の取り入れ口との間に制御基板等の構成部を配置して、本体２の内部に、中央部の取り入れ口から導入された空気が制御基板等を通過して隙間２６から遮熱板２３を回り込んで中心側へ移動し、バーナヘッド１２に至る通気路２７を形成した。【選択図】  図１
2004305279.tif 000002
【特許請求の範囲】
【請求項１】
筒状の本体の内部に、ガスバーナと、そのガスバーナの燃焼部より下方にあってその燃焼を制御する制御部等の構成部とを備え、前記本体の底部に空気の取り入れ口を設けたガス燃焼器具であって、
前記本体の内部に、前記燃焼部側への出口を除いて前記燃焼部と構成部との間を仕切る遮熱板を設ける一方、前記出口と取り入れ口との間に少なくとも前記制御部を配置して、前記本体の内部に、前記取り入れ口から導入された空気が前記制御部を通過して前記出口から前記燃焼部に至る通気路を形成したことを特徴とするガス燃焼器具。
【請求項２】
遮熱板の外周と本体の内周との間に隙間を設けて、前記隙間を燃焼部側への出口とした請求項１に記載のガス燃焼器具。
【請求項３】
取り入れ口を本体の底部中央に設けた請求項２に記載のガス燃焼器具。
【発明の詳細な説明】
【０００１】
【発明の属する技術分野】
本発明は、筒状の本体の内部に、ガスバーナと、そのガスバーナの燃焼部より下方にあってその燃焼を制御する制御部等の構成部とを備えたガス炊飯器等のガス燃焼器具に関する。
【０００２】
【従来の技術】
ガス燃焼器具として、例えばガス炊飯器は、釜を収容する筒状の本体の内部にガスバーナと、そのガスバーナの燃焼部より下方にあって、ガスバーナの燃焼を制御する制御部や電磁弁を内設した点滅器等の構成部とを備え、制御部がガスバーナを所定の炊飯シーケンスに従って燃焼させることで炊飯が可能となっている（特許文献１参照）。また、本体の底部には、ガスバーナの燃焼用空気の取り入れ口が形成されている。
【０００３】
【特許文献１】
特開平１１−３３２７３７号公報
【０００４】
【発明が解決しようとする課題】
このようなガス炊飯器においては、ガスバーナの燃焼による器具内の温度上昇から、或いは釜から落下する水滴から制御部等の構成部を保護する必要がある。具体的には各構成部ごとに遮熱板を設けることで対策を講じていたが、このために部品点数が増加して構造が複雑化し、コストアップの原因になっていた。
【０００５】
そこで、請求項１に記載の発明は、簡単な構造で制御部等の構成部を器具内の温度上昇や水滴等から効果的に保護できるガス燃焼器具を提供することを目的としたものである。
【０００６】
【課題を解決するための手段】
上記目的を達成するために、請求項１に記載の発明は、本体の内部に、燃焼部側への出口を除いて燃焼部と構成部との間を仕切る遮熱板を設ける一方、出口と取り入れ口との間に少なくとも制御部を配置して、本体の内部に、取り入れ口から導入された空気が制御部を通過して出口から燃焼部に至る通気路を形成したことを特徴とするものである。
請求項２に記載の発明は、請求項１の目的に加えて、本体も効果的に冷却可能とするために、遮熱板の外周と本体の内周との間に隙間を設けて、隙間を燃焼部側への出口としたものである。
請求項３に記載の発明は、請求項２の目的に加えて、構成部を均等且つ確実に冷却するために、取り入れ口を本体の底部中央に設けたものである。
【０００７】
【発明の実施の形態】
以下、本発明の実施の形態を図面に基づいて説明する。
図１は、ガス炊飯器の一例を示す全体説明図で、ガス炊飯器１は、筒状の本体２と、その本体２に収容される釜３と、釜３の上部開口を閉塞する蓋４とからなる。まず本体２は、底板５によって底部を閉塞した筒状の外胴６内に、やや小径の内胴７を同軸で収容し、外胴６と内胴７との上端縁間に上カバー８を周設した二重構造となっており、内胴７の下方には、中央を開口した仕切板９が固定されている。
また、本体２の底部には、図２にも示すように、中央上方に燃焼部としてのバーナヘッド１２を有するガスバーナ１１と、構成部として、電磁弁１３やガバナ１４等を備えてガスバーナ１１へのガス供給路を内設する点滅器１５とが設置され、バーナヘッド１２が仕切板９の開口１０を貫通して上方へ突出している。１６は、バーナヘッド１２の中央に立設されて釜３の底部に当接する温度検出用のサーミスタである。
【０００８】
また、本体２の底部には、他の構成部として、制御部となる制御基板１７と電極１８、イグナイタ１９が夫々備えられ、本体２の側面には、制御基板１７に接続されて、炊飯スイッチやタイマー予約スイッチ、表示部等を備えたメインパネル２０が設けられている。２１，２１・・は、ガスバーナ１１の燃焼用空気や制御基板１７等の冷却用空気の供給のために底板５の中央部（バーナヘッド１２の真下）及び外周側に穿設された空気の取り入れ口、２２，２２・・は、底板５に固定されて本体２を支持する脚である。
【０００９】
そして、２３は遮熱板で、下方に位置する制御基板１７等の構成部とその上方のバーナヘッド１２とを仕切る格好で、底板５に立設された複数の支持板２４，２４・・によって水平にネジ止め固定されている。この遮熱板２３は、中心側はガスバーナ１１が貫通する透孔２５が、ガスバーナ１１への近接状態で穿設され、外周側は、外胴６の内周から所定の隙間２６（これがバーナヘッド１２側への出口となる）が形成されるように多角形の円盤状に形成されるもので、上側の仕切板９との間に所定の隙間が生じる高さで固定されている。よって、本体２内の底部には、図１に実線矢印で示すように、中央部の取り入れ口２１から導入された空気が放射方向に移動して、遮熱板２３外周の隙間２６で折り返してバーナヘッド１２に至る通気路２７が形成され、点滅器１５や制御基板１７、イグナイタ１９といった構成部は、中央部の取り入れ口２１と隙間２６との間の通気路２７上に位置することになる。
【００１０】
一方、釜３は、上縁のフランジ部２８が本体２側の上カバー８で支持される格好で収容されるが、釜３の外側面でフランジ部２８の下面には、複数のリブ２９，２９・・が上下方向に立設されており、釜３の収容状態では、各リブ２９が上カバー８に直接当接して釜３を支持している。よって、釜３の周囲で内胴７との間には排気通路３０が、釜３の周縁部と上カバー８との間には排気口３１が夫々形成され、ガスバーナ１１の燃焼により発生する燃焼ガスは、図１の点線矢印の如く、排気通路３０及び排気口３１を通って外部に排出されるものとなる。
【００１１】
以上の如く構成されたガス炊飯器１においては、制御基板１７は、メインパネル２０での操作に従い、サーミスタ１６から得られる釜底温度を監視しつつ、電磁弁１３の開閉制御やイグナイタ１９の動作制御等を行うことで、所定の炊飯シーケンスに従ってガスバーナ１１の燃焼を制御する。この炊飯時に、外部の空気は、底板５の各取り入れ口２１から本体２の内部に吸引される。このうち底板５の中央部の取り入れ口２１から導入された空気は、通気路２７を通って遮熱板２３の外周方向へ移動する。そして、遮熱板２３の端縁を回り込んで隙間２６から上方に出て仕切板９と遮熱板２３との間で中心方向へ移動し、仕切板９の開口１０を通ってバーナヘッド１２での燃焼に用いられる。
【００１２】
こうして本体２内に取り込まれる燃焼用空気は、遮熱板２３の下方で点滅器１５や制御基板１７、イグナイタ１９等に接触すると共に、遮熱板２３の端縁を回り込む際にメインパネル２０や外胴６にも接触する。よって、制御基板１７やイグナイタ１９、メインパネル２０、外胴６といった構成部が燃焼用空気により効果的に冷却される。また、遮熱板２３によって制御基板１７等の構成部の上方が保護される格好となるため、燃焼ガス中の水分が釜３の表面で結露して水滴として落下することがあっても、遮熱板２３で受けて制御基板１７等への水の侵入を阻止することができる。
【００１３】
このように上記形態のガス炊飯器１によれば、本体２の内部に、隙間２６を除いてバーナヘッド１２と各構成部との間を仕切る遮熱板２３を設ける一方、隙間２６と取り入れ口２１との間に制御基板１７等を配置して、本体２の内部に、取り入れ口２１から導入された空気が制御基板１７等を通過して隙間２６からバーナヘッド１２に至る通気路２７を形成したことで、通気路２７を通る燃焼用空気によって制御基板１７等の構成部が冷却されると共に、遮熱板２３によって水の侵入も阻止される。よって、制御基板１７等の構成部は器具内の温度上昇や水から効果的に保護される。而もこの効果は、遮熱板２３を設ける簡単な構成で得られるため、部品点数が少なくなってコストアップも最小限で済む。
【００１４】
特にここでは、遮熱板２３の外周と本体２の外胴６との間に隙間２６を設けて、その隙間２６をバーナヘッド１２側への出口としているから、隙間２６を通る燃焼用空気によって外胴６も冷却される。よって、外胴６を含めた本体２の温度上昇が防止され、外胴６に触れたユーザーに不快感を与えるおそれも少なくなる。
また、取り入れ口２１を本体２の底板５の中央に設けているから、中央から導入された燃焼用空気が遮熱板外周の隙間２６へ向かって放射方向に流れ、制御基板１７等の各構成部を均等且つ確実に冷却可能となっている。
【００１５】
なお、上記形態では、取り入れ口を底板中央部に、出口を遮熱板の外周側に夫々設けて通気路を形成しているが、これと逆に、遮熱板を外周側で本体の内周に固定し、出口をバーナヘッドの周縁側に形成して、底板の外周側の取り入れ口から吸引された空気が中央側に移動して出口からバーナヘッドへ至る通気路を形成しても良い。
【００１６】
一方、遮熱板は、多角形に限らず円板も採用できるし、上記形態のように底板の略全体を覆わずに、少なくとも制御部の上方のみを部分的に覆うように、底板の半分や四分の一等の大きさとしても差し支えない。さらに、燃焼部側への出口となる隙間は、上記形態では遮熱板の全周で形成しているが、遮熱板の外周の一部を本体の内周まで延設して、隙間を半周等の短い範囲で設けたり、等間隔で断続的に設けたりすることもできる。勿論、隙間に限らず、遮熱板に形成した透孔を燃焼部側への出口としても良い。
その他、本発明は、ガス炊飯器に限らず、本体内に燃焼部と、少なくとも制御部を含む構成部とを備えたものであれば、例えばガスストーブ等の他のガス燃焼器具にも適用可能である。
【００１７】
【発明の効果】
請求項１に記載の発明によれば、通気路を通過する燃焼用空気によって少なくとも制御部が冷却されると共に、遮熱板によって水の侵入も阻止される。よって、制御部等の構成部は器具内の温度上昇や水から効果的に保護される。而もこの効果は、遮熱板を設ける簡単な構成で得られるため、部品点数が少なくなってコストアップも最小限で済む。
請求項２に記載の発明によれば、請求項１の効果に加えて、遮熱板の外周と本体の内周との間に隙間を設けて、隙間を燃焼部側への出口としたことで、隙間を通る燃焼用空気によって本体も冷却される。よって、本体の温度上昇が防止され、本体に触れたユーザーに不快感を与えるおそれも少なくなる。
請求項３に記載の発明によれば、請求項２の効果に加えて、取り入れ口を本体の底部中央に設けたことで、中央から導入された燃焼用空気が遮熱板外周の隙間へ向かって放射方向に流れ、各構成部を均等且つ確実に冷却可能となる。
【図面の簡単な説明】
【図１】ガス炊飯器の全体説明図である。
【図２】本体底部の平面図である（仕切板まで除いた状態で示す）。
【符号の説明】
１・・ガス炊飯器、２・・本体、３・・釜、５・・底板、６・・外胴、７・・内胴、１１・・ガスバーナ、１２・・バーナヘッド、１７・・制御基板、２１・・取り入れ口、２３・・遮熱板、２６・・隙間、２７・・通気路。
【図１】
2004305279.tif 000003
【図２】
2004305279.tif 000004